(57)【要約】【課題】    歯面部や歯茎部などの窪んでいない部位と歯間部や歯周ポケットなどの窪んだ部位を同時に綺麗に清掃することができると共に、歯茎への当たり具合もソフトで耐久性に優れた歯ブラシを提供するものである。【解決手段】    毛先がテーパー加工された合成樹脂製のフィラメントを束ねて毛束とし、植毛台の植毛穴に植毛した歯ブラシにおいて、前記フィラメントのテーパー部の先端部から１．０ｍｍ、３．０ｍｍ、５．０ｍｍ、８．０ｍｍの各部位におけるフィラメント径が基部のフィラメント径に対し、テーパー部の太さが３５〜７０％、７０〜９０％、８０〜９５％、９０〜１００％で、それぞれ特定されるフィラメント形状と、テーパー部の太さが、１０〜３５％、２５〜７０％、７０〜８０％、８０〜１００％で、それぞれ特定されるフィラメント形状を植毛して構成した歯ブラシ。【選択図】  図１
2010233781.tif 000002
【特許請求の範囲】
【請求項１】
毛先がテーパー加工された合成樹脂製のフィラメントを束ねて毛束とし、植毛台の植毛穴に植毛した歯ブラシにおいて、前記フィラメントのテーパー部の先端部から１．０ｍｍ、３．０ｍｍ、５．０ｍｍ、８．０ｍｍの各部位におけるフィラメント径が基部のフィラメント径に対し、テーパー部の太さが３５〜７０％、７０〜９０％、８０〜９５％、９０〜１００％で、それぞれ特定されるフィラメント形状と、テーパー部の太さが、１０〜３５％、２５〜７０％、７０〜８０％、８０〜１００％で、それぞれ特定されるフィラメント形状を植毛して形成されてなる歯ブラシ。
【請求項２】
前記フィラメントの一方の端部にテーパー部の先端部から１．０ｍｍ、３．０ｍｍ、５．０ｍｍ、８．０ｍｍの各部位におけるフィラメント径が基部のフィラメント径に対し、テーパー部の太さが３５〜７０％、７０〜９０％、８０〜９５％、９０〜１００％で、それぞれ特定されるフィラメント形状を形成する一方、フィラメントの他方に、テーパー部の太さが、１０〜３５％、２５〜７０％、７０〜８０％、８０〜１００％で、それぞれ特定されるフィラメント形状が形成されてなる請求項１記載の歯ブラシ。
【請求項３】
前記異なるフィラメント形状を交互に配置した請求項１、或いは、請求項２に記載の歯ブラシ。
【請求項４】
前記異なるフィラメント形状を単一のフィラメントに各々形成した請求項１〜請求項３の何れかに記載の歯ブラシ。
【発明の詳細な説明】
【技術分野】
【０００１】
本発明は、毛先がテーパー状に先鋭化された合成樹脂製のフィラメントのテーパー部の形状が異なる２種類以上のフィラメントを束ねて毛束とし、植毛台の植毛穴に植毛した歯ブラシに関するものであり、歯間部や歯と歯茎の境目、或いは、その周辺に蓄積した除去しにくい歯垢の清掃能力を高めると共に、歯茎への当たり具合もソフトで使用感に優れた歯ブラシに関するものである。
【背景技術】
【０００２】
ブラッシング時の清掃効果を高めるために、植毛したフィラメントの先端を機械的に研磨するテーパー加工や化学的処理でテーパー加工した歯ブラシが種々提案されている。例えば、毛先が歯間部や歯周ポケットに入るように、毛先を機械的にテーパー状に研磨加工した歯ブラシが知られている。しかし、このテーパー部の長さはせいぜい１ｍｍ程度と短いため、清掃効果やソフト感が向上するに至らず、通常の毛先ラウンド状(研磨加工)の毛束とほとんど差がなかった。
【０００３】
また、先の尖った毛束と、先の尖っていない毛束を用い、先鋭な毛束を先鋭でない毛束よりもその毛足が長くなるよう突出して植毛した歯ブラシも提案されてきた（例えば実公昭６１−１０４９１号公報）。しかし、このような歯ブラシの先端を化学的処理で先鋭化した毛束は、歯間部や歯周ポケットなどの窪んだ入り込み易いが、一方、先鋭でない毛先の先端は、切りっぱなしのため、その毛先の先端部の角が歯茎に当たり、傷つけたりする欠点があった。
【０００４】
さらに、化学的処理によってフィラメントの両端の先端にテーパー処理をした施した毛束を植毛する歯ブラシも知られている（例えば特開平６−１４１９２３号）。このフィラメントの両端を化学的にテーパー化した先鋭化した歯ブラシは、歯間部や歯周ポケットなど、従来の歯ブラシでは毛先が届かなかった部位に対しても毛先が入り込んで清掃することができる。
【先行技術文献】
【特許文献】
【０００５】
【特許文献１】実公昭６１−０１０４９５号公報
【特許文献２】特開平６−１４１９２３号公報
【発明の概要】
【発明が解決しようとする課題】
【０００６】
しかしながら、このようなフィラメントの先端を化学的にテーパー化した歯ブラシの場合、先端を先鋭化したために細く、それ故に、毛先の腰が弱くなり、毛先が折れ撓んでその毛先の側面が接するようになり、歯茎部や歯面部などの窪んでない部位に対して毛先が作用しにくくなり、これらの部位の清掃力が不十分になりがちであった。
【課題を解決するための手段】
【０００７】
本発明は、毛先がテーパー加工された合成樹脂製のフィラメントを束ねて毛束とし、植毛台の植毛穴に植毛した歯ブラシにおいて、前記フィラメントのテーパー部の先端部から１．０ｍｍ、３．０ｍｍ、５．０ｍｍ、８．０ｍｍの各部位におけるフィラメント径が基部のフィラメント径に対し、テーパー部の太さが３５〜７０％、７０〜９０％、８０〜９５％、９０〜１００％で、それぞれ特定されるフィラメント形状と、テーパー部の太さが、１０〜３５％、２５〜７０％、７０〜８０％、８０〜１００％で、それぞれ特定されるフィラメント形状を植毛して形成されていることを主要な特徴とする。
【発明の効果】
【０００８】
毛先がテーパー加工された合成樹脂製のフィラメントを束ねて毛束とし、植毛台の植毛穴に植毛した歯ブラシにおいて、前記フィラメントのテーパー部の先端部から１．０ｍｍ、３．０ｍｍ、５．０ｍｍ、８．０ｍｍの各部位におけるフィラメント径が基部のフィラメント径に対し、テーパー部の太さが３５〜７０％、７０〜９０％、８０〜９５％、９０〜１００％で、それぞれ特定されるフィラメント形状と、テーパー部の太さが、１０〜３５％、２５〜７０％、７０〜８０％、８０〜１００％で、それぞれ特定されるフィラメント形状を植毛して形成されているので、テーパー角度が大きいテーパー部が歯面部や歯間部周辺の窪んでいない部位に対しての清掃能力が高く、しかも、テーパー角度が大きいテーパー部を有しているので毛先が曲がり難いため、耐久性が良くなる。又、テーパー角度が小さいテーパー部が、歯間部や歯周ポケットなどの窪んだ部位に入り易く歯垢などの頑固な汚れを排除してくれる。その結果として、歯間部や歯と歯茎の境目とその周辺に蓄積した除去しにくい歯垢清掃能力が高く、歯茎への当たり具合もソフトで耐久性に優れた歯ブラシが得られるものである。
【図面の簡単な説明】
【０００９】
【図１】本発明に係る歯ブラシの概略の側面図である。
【図２】（ａ）毛先にテーパー処理をしたフィラメントの側面図。              （ｂ）毛先がテーパー処理されたフィラメントの植毛方法の側面図。              （ｃ）毛先がテーパー処理されたフィラメントの植毛した断面図。              （ｄ）ハンドルに毛束を植毛した断面図。
【図３】本発明に係るフィラメントの拡大図。
【図４】本発明に係るフィラメントの混毛状態の拡大図
【図５】変形例を示す図である。
【発明を実施するための形態】
【００１０】
以下、添付した図面に基づき本発明の実施例を説明する。図１は、本発明による歯ブラシに適用した１例を示している。参照符号１は歯ブラシの毛束１であり、この毛束１の中央部を折り曲げてＵ字型にし、針金などの係止片３と共にハンドル２のヘッド部の植毛穴４に挿入固定され歯ブラシを構成している。前記毛束１は、先端をテーパー加工したテーパー部のテーパー角度が異なるフィラメント５を用いて長手方向に集束し、フィラメント５の中央部を折り曲げて係止片３と共にハンドル２のヘッド部植毛穴４に挿入などの方法により形成したものである。
【００１１】
フィラメント５に使用している合成樹脂製の材質としては、ポリアミド（６、６―ナイロン、６―ナイロン、１２−ナイロン、６、１０−ナイロン、６、１２−ナイロンなど）とポリエステル（ポリエチレンテレフタレート、ポリブチレンテレフタレートなど）、アクリル（モダクリルなど）などを用いることができるが、使用するフィラメント５の材質は同一であっても異なっても良い。例えば、フィラメント５のテーパー角度が大きいものには、曲げ強度（吸湿時）の柔らかいポリアミド系の材質を用い、又、テーパー角度が小さいものには、曲げ強度（吸湿時）の硬いポリエステル系の材質を用いれば、テーパー角度が大きくとも歯茎に対してソフトなタッチになり、又、テーパー角度が小さくとも、耐久性が良いと言った、相反する結果が得られることもある。
【００１２】
この毛束１に用いるフィラメント５の直径Ｄは、製造用途又は大きさ（直径及び長さ）によっても異なるが、本発明に係わる歯ブラシの毛束１におけるフィラメント５の直径Ｄは、０．１５ｍｍ〜０．２８ｍｍのものを用いることが好ましい。尚、ここで言うフィラメントの直径Ｄとは、テーパー加工されていない部分の直径を言うものである。又、フィラメント５の直径Ｄがこの範囲の中であれば何種類使用して良い。
【００１３】
前記合成樹脂製のフィラメント５を先端から後方に向けてテーパー化したフィラメント５となすには、化学処理液による方法が好ましく、その具体的一例としては、ポリアミドに対してメタクレゾールと塩化カルシウム−メタノール溶液との混和液、ポリエステルに対して水酸化ナトリウムなどの組合せが挙げられる。
【００１４】
又、毛束１に使用しているフィラメント５の断面形状は、通常は丸型であるが、これに限られるものではなく、例えば、中空型、異形型、波形状などのフィラメントを採用しても良い。
【００１５】
毛先がテーパー加工された合成樹脂製のフィラメント５を束ねて毛束１とし、植毛台の植毛穴４に植毛した歯ブラシにおいて、前記フィラメント５のテーパー部の先端部から１．０ｍｍ、３．０ｍｍ、５．０ｍｍ、８．０ｍｍの各部位におけるフィラメント径が基部のフィラメント径Ｄに対し、テーパー部の太さが３５〜７０％、７０〜９０％、８０〜９５％、９０〜１００％で、それぞれ特定されるフィラメント形状と、テーパー部の太さが、１０〜３５％、２５〜７０％、７０〜８０％、８０〜１００％で、それぞれ特定される異なるテーパー形状のフィラメント５を使用する目的は、テーパー角度が大きいテーパー部が歯面部や歯間部周辺の窪んでいない部位に対しての清掃能力が高く、しかも、テーパー角度が大きいテーパー部を有しているので毛先が曲がり難いため、耐久性が良くなるからである。又、テーパー角度が小さいテーパー部が、歯間部や歯周ポケットなどの窪んだ部位に入り易く歯垢などの頑固な汚れを排除してくれる。その結果として、歯間部や歯と歯茎の境目とその周辺に蓄積した除去しにくい歯垢の清掃能力が高く、歯茎への当たり具合もソフトで耐久性に優れた歯ブラシが得られるものである。
【００１６】
又、フィラメント５のテーパー角度が大きいテーパー部の太さが上記寸法範囲より細いとテーパー角度が大きいテーパー部とテーパー角度が小さいテーパー部との差が接近してしまい、テーパー角度が小さい下限に集中するので、歯間部や歯周ポケットに入り易くなり、この部分の清掃能力は良いが、歯茎部や歯面部などの窪んでない部位に対して毛先が作用しにくくなり、これらの部位の清掃力が不十分になると共に、毛先が撓み易くなるので耐久性が劣るといった問題もある。
さらに、フィラメント５のテーパー角度が小さいテーパー部の太さが上記寸法範囲より太いとテーパー角度が大きいテーパー部とテーパー角度が小さいテーパー部との差が接近してしまい、テーパー角度が大きい上限に集中するので、歯茎部や歯面部などの窪んでない部位に対して毛先が作用し易くなるので、この部位の清掃能力と毛先が撓み難くなるので耐久性は向上するが、歯間部や歯周ポケットに入り難くなり清掃能力が低下してしまう。
【００１７】
又、前記合成樹脂製のテーパー先端部から１．０ｍｍ、３．０ｍｍ、５．０ｍｍの各部位におけるフィラメント径が基部のフィラメント径Ｄに対して、テーパー角度が大きいテーパー部の太さと、テーパー角度が小さいテーパー部の太さの範囲が重ならないことが好ましい。しかし、テーパー部先端から８．０ｍｍのテーパー部の太さは、テーパー角度が大きいテーパー部の太さと、テーパー角度が小さいテーパー部の太さとの範囲が重なっても重ならなくても構わない。さらに、前記合成樹脂製のテーパー先端部から１．０ｍｍのフィラメント径が基部のフィラメント径Ｄに対して、テーパー角度が大きいテーパー部太さは７０％以下が好ましい。
【００１８】
前記合成樹脂製のフィラメント５が両端にテーパー部の太さの異なるテーパー角度が大きなテーパー部の太さを有するものと、テーパー角度が小さなテーパー部の太さを有するものを長手方向に同一方向で配置しても、各々の反対の位置に配置して、所定の割合で混毛するが、どちらかと言うと後者の方が好ましい。
【００１９】
毛束１がフィラメント５のテーパー部の太さがテーパー角度の大きなものと小さなものが長手方向に同じ方向に位置していると、この毛束１の中央部を折り曲げてＵ字型にし、針金などの係止片３と共にハンドル２のヘッド部の植毛穴４に挿入固定された時に、Ｕ字型の片側に同じ形状のテーパー部太さが集中するので、テーパー角度が大きなテーパー部の太さのものが集中した側は、歯茎部や歯面部などの窪んでない部位に対して毛先が作用し易くなるので、この部位の清掃能力と毛先が撓み難くなるので耐久性は向上するが、歯間部や歯周ポケットに入り難くなり清掃能力が低下してしまう。
又、テーパー角度が小さなテーパー部の太さのものが集中したものは、歯間部や歯周ポケットに入り易くなり、この部分の清掃能力は良いが、歯茎部や歯面部などの窪んでない部位に対して毛先が作用しにくくなり、これらの部位の清掃力が不十分になると共に、毛先が撓み易くなるので耐久性が劣るといった問題がある。
【００２０】
尚、今回は両端にテーパー部の太さの異なるフィラメント５を使用したが、これに限られることではなく、例えば、片側のみテーパー加工されたフィラメント５を使用し、テーパー角度が大きいテーパー部のものとテーパー角度が小さいテーパー部のものとを混毛し、後端部を溶着して植毛穴に挿入固定したり、インモールド成形などの方法によって歯ブラシを構成しても良い。
【００２１】
又、前記合成樹脂製のフィラメント５において、テーパー角度が大きなテーパー部の太さを有するものと、テーパー角度が小さなテーパー部の太さを有するものとを混毛する訳であるが、このときの混毛比率は、テーパー角度が大きいテーパー部の太さのものが２０〜８０重量％で、テーパー角度が小さいテーパー部太さのものが２０〜８０重量％が好ましい。
【実施例】
【００２２】
以下、本発明の実施例を図面を参照して説明する。図２（ａ）において、フィラメント５の両端にテーパー部の太さの異なるテーパー角度が大きいテーパー部の太さを有するものと、テーパー角度が小さいテーパー部の太さを有するものを用い、そのテーパー先端部から１．０ｍｍ、３．０ｍｍ、５．０ｍｍ、８．０ｍｍの各部位におけるフィラメント径が基部のフィラメント径Ｄに対して、テーパー角度が大きい側のテーパー部の太さが３５〜７０％、７０〜９０％、８０〜９５％、９０〜１００％で、テーパー角度が大きい側のテーパー部の太さが、１０〜３５％、２５〜７０％、７０〜８０％、８０〜１００％で、それぞれ特定される形状のフィラメント５を長手方向にテーパー部の太さの異なるものを反対の位置に配置し、所定の割合（５０：５０）で混毛したものを集束して、図２（ｂ）の毛束１を形成したものである。
【００２３】
図２（ｄ）に示すように、前記毛束１の中央部を折り曲げてＵ字型にし、針金などの係止片３と共にハンドル２のヘッド部の植毛穴４に挿入固定して歯ブラシを構成した。
前記毛束１は、前記合成樹脂製のフィラメント５の両端にテーパー部の太さの異なるテーパー角度が大きいテーパー部の太さを有するものと、テーパー角度が小さいテーパー部の太さを有するものを用い、そのテーパー先端部から１．０ｍｍ、３．０ｍｍ、５．０ｍｍ、８．０ｍｍの各部位におけるフィラメント径が基部のフィラメント径Ｄに対して、テーパー角度が大きい側のテーパー部太さが３５〜７０％、７０〜９０％、８０〜９５％、９０〜１００％で、テーパー角度が小さい側のテーパー部の太さが、１０〜３５％、２５〜７０％、７０〜８０％、８０〜１００％で、それぞれ特定される形状のフィラメント５を用いたものを表１に示すと共に、実施例１〜７、並びに、比較例８〜１４に示す。
【００２４】
【表１】
2010233781.tif 000003
【００２５】
上記実施例１〜７、並びに、比較例８〜１４の毛束１を用いて、図１に示す歯ブラシを形成し、ブラッシング試験を行った。
【００２６】
ブラッシング試験（モニター試験）
方法：任意に抽出したモニターに実際に歯ブラシを使用してもらい、使用性についてのモニター調査を実施した。その結果を表２に示す。
【００２７】
【表２】
2010233781.tif 000004
【符号の説明】
【００２８】
１    毛束
２    ハンドル
３    ピン
４    植毛穴
５    フィラメント
６    鈍角のテーパー部
７    鋭角のテーパー部
【図１】
2010233781.tif 000005
【図２】
2010233781.tif 000006
【図３】
2010233781.tif 000007
【図４】
2010233781.tif 000008
【図５】
2010233781.tif 000009